(57)【要約】【課題】  画像表示手段の画面サイズを大きくした遊技装置を提供する。【解決手段】  遊技装置本体に画像表示装置１０１を収納位置から表示位置まで案内する案内手段と、画像表示装置１０１を表示位置に固定する固定手段とを設けたことにより、収納時には画像表示装置１０１を遊技装置本体に収納することができ、遊技装置の出荷、輸送時には輸送効率を向上させることができる。また、遊技装置のホールへの設置時には画像表示装置１０１を収納位置から表示位置まで案内して固定することにより、枠にとらわれることなくスペースを大きくすることができるので、画像表示装置１０１の画面サイズを大きくすることができる。さらに、設置時には画像表示装置１０１を表示位置まで移動させることにより、遊技装置全体のサイズを拡大することができる。【選択図】  図１
2006180901.tif 000002
【特許請求の範囲】
【請求項１】
遊技に関連した画像が表示部に表示される画像表示装置を有する遊技装置であって、
遊技装置本体に前記画像表示装置を収納位置から表示位置まで案内する案内手段と、前記画像表示装置を前記表示位置に固定する固定手段とを設けたことを特徴とする遊技装置。
【請求項２】
前記収納位置において、前記画像表示装置が前記遊技装置本体のフロントパネルの領域内にあり、前記表示位置において、前記画像表示装置の上端が前記遊技装置本体の上端より上側にあることを特徴とする請求項１記載の遊技装置。
【請求項３】
前記案内手段は、前記遊技装置本体のフロントパネル近傍に設けられた鉛直長手方向の長尺状のレールと、前記画像表示装置を前記レールに沿って摺動自在に保持する保持部材とを備えたことを特徴とする請求項１記載の遊技装置。
【請求項４】
前記固定手段は、前記画像表示装置の位置決めを行うための仮止め機構と、該仮止め機構をロックするためのロック機構とを備えたことを特徴とする請求項１記載の遊技装置。
【請求項５】
前記仮止め機構は、前記レールと、前記レールに対向するレール押さえ板と、前記レール及び前記レール押さえ板の一方に形成された凹部もしくは開口部と、前記レール及び前記レール押さえ板の他方に形成され、前記凹部もしくは前記開口部と嵌合可能な凸部とを備えたことを特徴とする請求項４記載の遊技装置。
【請求項６】
前記ロック機構は、前記レール押さえ板の他方の面で前記レール押さえ板に対して垂直な軸のまわりに回転可能なレバーと、前記レール押さえ板及び前記レバーの対向する面にそれぞれ形成された斜面を有する台形部とを備え、前記レバーをロック位置まで回動させたときに前記台形部同士が互いに乗り上がることにより前記仮止め機構の凸部が前記凹部もしくは前記開口部に締め付けられるようにしたことを特徴とする請求項４記載の遊技装置。
【請求項７】
前記画像表示装置は、前記表示位置において遊技者側に傾斜して設けられていることを特徴とする請求項１から６のいずれか１項記載の遊技装置。
【発明の詳細な説明】
【技術分野】
【０００１】
本発明は、遊技に関連した画像が表示される画像表示装置を有する遊技装置に関する。
【背景技術】
【０００２】
図１２は遊技装置としてのスロットマシンの従来例を示す正面図である。
同図に示すスロットマシン１０は、筐体１２の前面に開閉自在に設けられたフロントドア１１に上部パネル部１３と、中部パネル部１４と、下部パネル部１５とを有する。
【０００３】
上部パネル部１３は、演出用ランプ１３ａ〜１３ｃと、スピーカが取り付けられた放音部１３ｄ、１３ｅと、液晶ディスプレイ等で形成され、所定の演出を行うための画像表示手段１３ｆとを有する。
【０００４】
中部パネル部１４には、表示手段ＷＤと、演出用ランプ１４ａ、１４ｂとが設けられている。筐体１２内に設けられている回胴リール装置２０のリールＲ１、Ｒ２、Ｒ３は遊技者が表示手段ＷＤ（例えば透明樹脂板）を介して見ることが可能となっている。
中部パネル部１４の下端には、遊技者が操作するための操作部１４ｃが設けられ、操作部１４ｃには、メダル投入口ＭＤと、１ゲーム当たりのメダル数を提示するためのベットスイッチＢ１、Ｂ２、Ｂ３と、１ゲームの開始を指示するためのスタートレバースイッチＳＴと、回転中のリールＲ１、Ｒ２、Ｒ３を個別に停止させるためのストップスイッチＳＰ１、ＳＰ２、ＳＰ３とが設けられている。尚、リールＲ１〜Ｒ３には「７７７」しか表示されていないが実際には９つのシンボルが表示される。
【０００５】
下部パネル部１５は、本スロットマシン１０のゲーム内容を紹介等するためのイラスト等（図示略）が描かれた下部パネル１５ａと、遊技者の獲得した枚数の遊技メダルを払い出すための排出口１５ｂ及び受皿１５ｃと、スピーカが取り付けられた放音部１５ｄとが取り付けられている（例えば、特許文献１参照）。
【０００６】
図１２に示すスロットマシン１０のリールＲ１〜Ｒ３は、リング状の部材であり、その外周面には複数種類の図柄（入賞役を構成する図柄等）を印刷したリールテープが貼付されたものである。各リールＲ１〜Ｒ３は、スロットマシン１０のフロントパネルに設けられた表示手段ＷＤから、上下に連続する３図柄が見えるように配置されている。そしてリールＲ１〜Ｒ３が図示しない三つのモータによってそれぞれ回転されることで、リールＲ１〜Ｒ３上の図柄は、所定の速度で表示手段ＷＤ内で上から下に移動表示される。
【０００７】
ここで、入賞役としては、例えば特別役、複数種類の小役、及びリプレイ（ＲＥＰＬＡＹ再遊技役）が挙げられる。特別役とは、通常遊技から特別遊技（遊技者にとって有利な遊技）に移行させる役である。この特別役としては、例えばビックボーナス（ＢＢ）やレギュラーボーナス（ＲＢ）が挙げられる。
【０００８】
ビックボーナスとは、特別遊技の１つであるビックボーナスゲームに移行させる役である。ビックボーナスゲームとは、所定回数内の一般遊技を行うとともに、この一般遊技中に一定条件下でボーナスゲームを所定回行うことができるようにしたものである。さらに、このボーナスゲームとは、所定役が高確率で当選する遊技を一定条件下で所定回数行うものである。これに対し、レギュラーボーナスとは、特別遊技の１つであるレギュラーボーナスゲームに移行させる役である。レギュラーボーナスゲームとは、ビックボーナスゲーム中のボーナスゲームを１回行うものである。
【０００９】
また、小役とは、予め定めた枚数のメダルの払出しを行う役である。さらにまた、リプレイとは、その遊技でのメダルの投入枚数（ベット枚数）を維持した再遊技が行えるようにした役である。
【００１０】
以上の各種役に対応する、リール３１の図柄の組み合わせが予め定められている。そして、全てのリール３１の停止時に、有効ラインに停止した図柄の組み合わせが予め定められた役の図柄の組み合わせと一致するときは、その役の入賞となり、メダルの払出し等、成立役に応じた利益が遊技者に与えられる。
図１３は、図１２に示したスロットマシンのブロック図である。
主制御基板７０は、スロットマシン１０の動作を統括管理するために設けられたものであり、主制御基板７０を中心としてサブ制御基板３０、中央表示基板４０、及び回胴装置基板６０が接続されている。尚、電源関係については説明を簡単にするため省略してあるが、当業者に周知の手段を採用できる。
【００１１】
主制御基板７０には、半導体メモリＲＯＭと、マイクロプロセッサＭＰＵとが搭載されており、そのマイクロプロセッサＭＰＵが、半導体メモリＲＯＭに予め記憶されているシステムプログラムとスロットマシンゲーム用のプログラムを実行し、各基板３０、４０、５０、及び６０を制御することによって、スロットマシン１００の動作状況とゲームの進行とを統括管理している。
【００１２】
サブ制御基板３０には、半導体メモリＲＯＭと、マイクロプロセッサＭＰＵとが搭載され、演出用スピーカＳＲ、ＳＬ、ＳＷと演出用ランプ１３ａ、１４ａ、１４ｂと演出表示手段１３ｄとが接続されており、サブ制御基板３０に設けられている電気回路が、主制御基板７０からの指示に従ってこれら演出用スピーカＳＲ、ＳＬ、ＳＷ、演出用ランプ１３ａ、１４ａ、１４ｂ、及び演出表示手段１３ｄを駆動することにより遊技者の視覚や聴覚に訴える演出を行うようになっている。
【００１３】
回胴装置基板６０には回胴リール装置２０が接続されており、主制御基板７０からの指令に従ってモータへの駆動電力と駆動タイミングとを制御することにより、リールＲ１、Ｒ２、Ｒ３の回転、制動、及び停止の制御を行う。
【特許文献１】特許第３３０２９７５号公報
【発明の開示】
【発明が解決しようとする課題】
【００１４】
ところで、ホールには複数のメーカーから多数のスロットマシンが設置されるため、そのサイズに制約があり、例えば、スロットマシン１０は高さが８１０ｍｍ、幅が４７５ｍｍ、奥行きが３７８．３ｍｍと設定されている。このようなサイズのスロットマシン１０のフロントドア１１にリールＲ１〜Ｒ３や操作部１４ｃ、下部パネル１５等を設けなければならないので、必然的に画像表示手段１３ｆとしての液晶表示パネルの大きさが約２５４ｍｍ（１０インチ：１０型ともいう）と小さくなり、遊技者にとって見やすいものではなかった。
また、スロットマシンの中には中部パネル部１４に液晶パネルを用いたものがあったが、外形サイズが約３３１ｍｍ（１５インチ：１５型ともいう）と、大きな割には表示できる画面サイズが小さく見づらかった。このため、画像表示手段をスロットマシンの上側に配置することも考えられるが、運搬時にはかさばってしまう。
そこで、本発明の目的は、画像表示手段を収納することができる遊技装置を提供することにある。
【課題を解決するための手段】
【００１５】
上記課題を解決するため、請求項１記載の発明は、遊技に関連した画像が表示部に表示される画像表示装置を有する遊技装置であって、遊技装置本体に前記画像表示装置を収納位置から表示位置まで案内する案内手段と、前記画像表示装置を前記表示位置に固定する固定手段とを設けたことを特徴とする。
【００１６】
請求項２記載の発明は、請求項１記載の発明において、前記収納位置において、前記画像表示装置が前記遊技装置本体のフロントパネルの領域内にあり、前記表示位置において、前記画像表示装置の上端が前記遊技装置本体の上端より上側にあることを特徴とする。
【００１７】
請求項３記載の発明は、請求項１記載の発明において、前記案内手段は、前記遊技装置本体のフロントパネル近傍に設けられた鉛直長手方向の長尺状のレールと、前記画像表示装置を前記レールに沿って摺動自在に保持する保持部材とを備えたことを特徴とする。
【００１８】
請求項４記載の発明は、請求項１記載の発明において、前記固定手段は、前記画像表示装置の位置決めを行うための仮止め機構と、該仮止め機構をロックするためのロック機構とを備えたことを特徴とする。
【００１９】
請求項５記載の発明は、請求項４記載の発明において、前記仮止め機構は、前記レールと、前記レールに対向するレール押さえ板と、前記レール及び前記レール押さえ板の一方に形成された凹部もしくは開口部と、前記レール及び前記レール押さえ板の他方に形成され、前記凹部もしくは前記開口部と嵌合可能な凸部とを備えたことを特徴とする。
【００２０】
請求項６記載の発明は、請求項４記載の発明において、前記ロック機構は、前記レール押さえ板の他方の面で前記レール押さえ板に対して垂直な軸のまわりに回転可能なレバーと、前記レール押さえ板及び前記レバーの対向する面にそれぞれ形成された斜面を有する台形部とを備え、前記レバーをロック位置まで回動させたときに前記台形部同士が互いに乗り上がることにより前記仮止め機構の凸部が前記凹部もしくは前記開口部に締め付けられるようにしたことを特徴とする。
【００２１】
請求項７記載の発明は、請求項１から６のいずれか１項記載の発明において、前記画像表示装置は、前記表示位置において遊技者側に傾斜して設けられていることを特徴とする。
【発明の効果】
【００２２】
遊技装置本体に画像表示装置を収納位置から表示位置まで案内する案内手段と、画像表示装置を表示位置に固定する固定手段とを設けたことにより、収納時には画像表示装置を遊技装置本体に収納することができ、遊技装置の出荷、輸送時には輸送効率を向上させることができる。また、遊技装置のホールへの設置時には画像表示装置を収納位置から表示位置まで案内して固定することにより、枠にとらわれることなくスペースを大きくすることができるので、画像表示手段の画面サイズを大きくすることができる。さらに、設置時には画像表示装置を表示位置まで移動させることにより、遊技装置全体のサイズを拡大することができる。
【発明を実施するための最良の形態】
【００２３】
本実施形態の遊技装置は、遊技に関連した画像が表示部に表示される画像表示装置を有する遊技装置であって、遊技装置本体に画像表示装置を収納位置から表示位置まで案内する案内手段と、画像表示装置を表示位置に固定する固定手段とを設けたことを特徴とする。
【００２４】
また、本実施形態の遊技装置は、上記構成に加え、収納位置において、画像表示装置が遊技装置本体のフロントパネルの領域内にあり、表示位置において、画像表示装置の上端が遊技装置本体の上端より上側にあるのが好ましく、案内手段は、遊技装置本体のフロントパネル近傍に設けられた鉛直長手方向の長尺状のレールと、画像表示装置をレールに沿って摺動自在に保持する保持部材とを備えるのが好ましい。
【００２５】
また、本実施形態の遊技装置は、上記構成に加え、固定手段は、画像表示装置の位置決めを行うための仮止め機構と、仮止め機構をロックするためのロック機構とを備え留のが好ましく、仮止め機構は、レールと、レールに対向するレール押さえと、レール及びレール押さえの一方に形成された凹部もしくは開口部と、レール及びレール押さえの他方に形成され、凹部もしくは開口部と嵌合可能な凸部とを備えるのが好ましい。この場合には、仮止め機構により画像表示装置の位置決め作業を効率的に行うことができる。
【００２６】
さらに、本実施形態の遊技装置は、上記構成に加え、ロック機構は、レール押さえ板の他方の面でレール押さえ板に対して垂直な軸のまわりに回転可能なレバーと、レール押さえ板及びレバーの対向する面にそれぞれ形成された斜面を有する台形部とを備え、レバーをロック位置まで回動させたときに台形部同士が互いに乗り上がることにより仮止め機構の凸部が凹部もしくは開口部に締め付けられるようにするのが好ましく、画像表示装置は、表示位置において遊技者側に傾斜して設けられているのが好ましい。この場合には、ロック機構のレバーを回動させるだけでロックされるので、ロック作業が効率的に行うことができ、しかもロックされているか否かがレバーの回動角度で視認することができる。
【実施例１】
【００２７】
次に本発明の遊技装置の実施例について説明する。本実施例では遊技装置がスロットマシンの場合で説明する。
図１は本発明の遊技装置に係るスロットマシンの設置状態の一実施例を示す外観斜視図である。図２は図１に示したスロットマシンの正面図であり、図３は図１に示したスロットマシンの側面図である。尚、図１２、１３に示した部材と同様の部材には共通の符号を用いた。尚、図３の可動パネルについては斜線が施されている。
図１、図２に示すスロットマシン１００は、遊技に関連した画像が表示部に表示される画像表示装置を有する遊技装置であって、遊技装置本体に画像表示装置を収納位置から表示位置まで案内する案内手段と、画像表示装置を表示位置に固定する固定手段とを設けたものである。
【００２８】
スロットマシン１００は、画像表示装置としての可動パネル部１０１と、中部パネル部１４と、下部パネル部１５とを有する。フロントパネルは、これら可動パネル部１０１、中部パネル部１４、及び下部パネル部１５でフロントパネルを含む。
【００２９】
可動パネル部１０１は、スロットマシン１００のフロントドア１１の中部パネル部１４からフロントドア上部（図１２に示したスロットマシン１０の上部パネル部１３に相当）にわたって移動が可能であり、最上位置に固定されている。可動パネル部１０１は、演出用ランプ１０１ａと、スピーカが取り付けられた放音部１０１ｂ、１０１ｃと、液晶ディスプレイ（もしくはプラズマディスプレイ）等で形成され、所定の演出を行うための表示部１０１ｄとを有する。
液晶ディスプレイとしては、スロットマシン１００に取り付けられる最大サイズ、例えば１５型（約３３１ｍｍ：１５インチ）のものが用いられる。可動パネル部１０１は、可動パネル１０１の上端がスロットマシン１００の上端より上側にあるように固定されている。表示部１０１ｃは、サイズが通常のスロットマシンのサイズと比較して大型、例えば、２０型（約５０８ｍｍ：２０インチ）であり、スロットマシン１００の上から見下ろすように配置されることになるため、通常のスロットマシンと比較して迫力を与えることができ、遊技者側に傾斜しているので遊技者に見やすくなっている（図３斜線部参照）。
【００３０】
中部パネル部１４には、表示手段ＷＤと、演出用ランプ１４ａ、１４ｂとが設けられている。筐体１２内に設けられている回胴リール装置２０のリールＲ１、Ｒ２、Ｒ３は遊技者が表示手段ＷＤを介して見ることが可能となっている。
中部パネル部１４の下端には、遊技者が操作するための操作部１４ｃが設けられ、操作部１４ｃには、メダル投入口ＭＤと、１ゲーム当たりのメダル数を提示するためのベットスイッチＢ１、Ｂ２（Ｂ１、Ｂ２は兼用）と、ベットスイッチＢ３と、１ゲームの開始を指示するためのスタートレバースイッチＳＴと、回転中のリールＲ１、Ｒ２、Ｒ３を個別に停止させるためのストップスイッチＳＰ１、ＳＰ２、ＳＰ３とが設けられている。
【００３１】
下部パネル部１５は、本スロットマシン１０のゲーム内容を紹介等するためのイラスト等（図示略）が描かれた下部パネル１５ａと、遊技者の獲得した枚数の遊技メダルを払い出すための排出口１５ｂ及び受皿１５ｃと、スピーカが取り付けられた放音部１５ｄ、１５ｅとが取り付けられている。
【００３２】
図４は図１に示したスロットマシンの収納状態の一実施例を示す外観斜視図である。図５は図４に示したスロットマシンの正面図であり、図６は図４に示したスロットマシンの側面図である。尚、図４の可動パネルについては斜線が施されている。
【００３３】
可動パネル部１０１は、下端がスロットマシン１００のフロントドア１１の中部パネル部１４の一部を覆うと共に上端が筐体１２の上端と同一の高さとなるように位置している。このため、可動パネル部１０１が収納位置にあるときは、スロットマシン１００全体のサイズ（高さ、幅、奥行き）が図１２に示した通常のスロットマシン１０と同一となるので、例えばスロットマシン１０を工場からホールへ輸送する場合に特に問題が発生することがない。また、可動パネル１０１の液晶ディスプレイや照明手段とサブ制御基板３０との間はフラーットケーブル（図示せず）で冗長的に接続されているので、可動パネル部１０１を移動させても安定した給電をすることができる。また可動パネル１０１の筐体とフロントドア１１との間は収納位置から表示位置までにおいて隙間が生じることがないように形成されているので、不正行為者が器具などをスロットマシン１００内に挿入することは無い。
【００３４】
図７は図４〜図６に示したスロットマシン１００のフロントドア１１を開けたときの内部の状態を示す図である。
図７に示す可動パネル１０１は、収納位置にあり、図３〜図５に対応している。収納位置における可動パネル１０１は下端が表示手段ＷＤの上半分を覆い隠しているのが分かる。レール２００はフロントパネル近傍としてのフロントドア１１にほぼ鉛直に設けられ長手方向に長穴が形成された長尺状のレールである。レール２００の上端及び下端はボルトの胴部に合わせて半円形状となっているが限定されるものではなく、矩形であってもよい。可動パネル１０１はレール２００の長穴を貫通するボルト２０１、２０４で保持されており図に示す位置より下側に移動することはない。
【００３５】
図８は図７に示したフロントドア１１の可動パネル部１０１を表示位置まで移動させた直後の状態を示す図である。
図８に示す可動パネル１０１は、表示位置にあり、図１〜図３に対応している。収納位置における可動パネル１０１は下端が完全に表示手段ＷＤから離れている代わりに、上端がフロントドア１１から上側に張り出している。図８に示すレバー２０２は水平となっている。この状態は、レバー２０２が可動パネル１０１を仮止めする状態となっている。
【００３６】
図９は図８に示したフロントドア１１の可動パネル部１０１を表示位置で固定した状態を示す図である。
図９に示す可動パネルは表示位置にあり、図１〜図３に対応しており、かつレバー２０２が可動パネル１０１を固定することができる状態となっている。このような表示位置で可動パネル１０１が固定されたまま、フロントドア１１が閉じられ、遊技者が遊技を行うことができる。
【００３７】
図１０（ａ）は案内手段及び固定手段の拡散分解図であり、図１０（ｂ）は図１０（ａ）の平面図であり、図１０（ｃ）は図１０（ｂ）に示したレバーの裏面図であり、図１０（ｄ）は図１０（ｂ）に示したレール押さえ板の平面図であり、図１０（ｅ）は図１０（ｄ）に示したレール押さえ板の裏面図である。
案内手段は、遊技装置本体のフロントドア１１に設けられ長手方向に長穴２０５が形成された長尺状のレール２００と、長穴２０５を貫通すると共に、胴部２０１ｂ、２０４ｂが可動パネル部１０１に固定され、頭部２０１ａ、２０４ａが可動パネル部１０をレール２００に沿って摺動自在に保持するボルト２０１、２０４とで構成されている。
固定手段は、画像表示装置の位置決めを行うための仮止め機構と、仮止め機構をロックするためのロック機構とで構成されている。
仮止め機構は、レール２００と、レール２００に対向するレール押さえ板２０３と、レール（もしくはレール押さえ板２０３）２００に形成された凹部（もしくは開口部）２００ｂと、レール押さえ板（もしくはレール２００）２０３に形成され、凹部（もしくは開口部）２００ｂと嵌合可能な凸部２０３ｃと、ボルト２０１、２０４の胴部２０１ｂ、２０４ｂに挿入されたスプリングワッシャ２６０、２６１と、ボルト２０４の胴部２０４ｂにスプリングワッシャ２６１とレール押さえ板２０３との間に挿入されたワッシャ２６２とを備えている。尚、凸部２０３ｃの形状は、図では矩形であるが限定されるものではなく、円形、楕円形、多角形のいずれでもよい。
【００３８】
ロック機構は、レール押さえ板２０３の他方の面でレール押さえ板２０３に対して垂直な軸のまわりに回転可能なレバー２０２と、レール押さえ板２０３及びレバー２０２の対向する面にそれぞれ形成された斜面２０２ｂ、２０３ｂを有する台形部２５０、２５１とを備え、レバー２０２をロック位置まで回動させたときに台形部２５０、２５１同士が互いに乗り上がることにより仮止め機構の凸部２０３ｃが凹部（もしくは開口部）２００ｂに締め付けられるようになっている（図１０（ａ）、（ｂ）、（ｃ））。
【００３９】
図１１（ａ）は可動パネルが収納位置にあるときのレバー付近の断面図であり、図１１（ｂ）は可動パネルを表示位置に移動した直後のレバー付近の断面図であり、図１１（ｃ）は可動パネルを表示位置で固定したときのレバー付近の断面図である。
図１１（ａ）は図４〜図７に対応しており、図１１（ｂ）は図１〜図３、図８に対応しており、図１１（ｃ）は図１〜図３、図９に対応している。
【００４０】
図１１（ａ）に収納位置において、レール押さえ板２０３とレバー２０１との間にほぼ凸部２０２ａ（２０３ａ）の厚さ分の隙間が形成されているので、可動パネル１０１を矢印Ｐ１方向に移動することができるようになっている。
図１１（ｂ）において、可動パネル１０１が収納位置から表示位置に上昇すると、レール押さえ板２０３の凸部２０３ｃがレール２００の凸部２００ｃを乗り上げて凹部２００ｂに到達する。さらに可動パネル１０１をホールの関係者が上昇させようとするとレール押さえ板２０３の凸部２０３ｃはレール２００の凸部２００ａを乗り上げなければならず抵抗感が得られる。このため可動パネル１０１の表示位置は可動パネル１０１を上昇させるときの抵抗感で認識することができる。この状態は仮止め状態であり、スプリングワッシャ２６０、２６１の復元力により凸部２０３ｃが凹部２００ｂに嵌合した状態で押圧される。このため、スロットマシン１００に振動や衝撃を与えなければ可動パネル１０１が落下することはない。
図１１（ｃ）において、可動パネル１０１を表示位置に位置した状態で、レバー２０２の取っ手２０２ｃを矢印Ｐ２方向に押し下げると、レバー２０２の凸部２０２ａとレール押さえ板２０３の凸部２０３ａ同士が接触する。このため、可動パネル１０１は、レール２００、レール２００の凹部２００ｂ、凸部２０３ｃ、レール押さえ２０３、凸部２０３ａ、凸部２０２ａで隙間がなくなり、可動パネル１０１の下降が阻止され、表示位置で固定される。この状態は固定状態であり、スロットマシン１００に振動や衝撃が与えられても可動パネル１０１が落下することはない。
【００４１】
以上において、本スロットマシン１００の可動パネル１０１が収納位置から表示位置に移動した後、ロック状態を経て固定状態にされる。
尚、本実施例では、ホールの関係者が可動パネル１０１の移動及び固定を行う場合で説明したが、本発明はこれに限定されるものではなく、遊技者が画像表示装置の高さや傾きを調整できるように構成してもよい。また、本実施例では可動パネル１０１は手動で昇降する場合で説明したが、本発明はこれに限定されるものではなく、モーター及びギヤを用いて画像表示装置が昇降するように構成してもよい（但し、この場合には遊技者やホールの関係者の手等が画像表示装置に接触した場合に停止するための公知の自動停止装置が必要である）。
【産業上の利用可能性】
【００４２】
本発明は、パチンコ、雀球等遊技に関連した画像を表示する画像表示装置を備えた遊技装置に利用することができる。
【図面の簡単な説明】
【００４３】
【図１】本発明の遊技装置に係るスロットマシンの設置状態の一実施例を示す外観斜視図である。
【図２】図１に示したスロットマシンの正面図である。
【図３】図１に示したスロットマシンの側面図である。
【図４】図１に示したスロットマシンの収納状態の一実施例を示す外観斜視図である。
【図５】図４に示したスロットマシンの正面図である。
【図６】図４に示したスロットマシンの側面図である。
【図７】図４〜図６に示したスロットマシン１００のフロントドア１１を開けたときの内部の状態を示す図である。
【図８】図７に示したフロントドア１１の可動パネル部１０１を表示位置まで移動させた直後の状態を示す図である。
【図９】図８に示したフロントドア１１の可動パネル部１０１を表示位置で固定した状態を示す図である。
【図１０】（ａ）は案内手段及び固定手段の拡散分解図であり、（ｂ）は（ａ）の平面図であり、（ｃ）は（ｂ）に示したレバーの裏面図であり、（ｄ）は（ｂ）に示したレール押さえ板の平面図であり、（ｅ）は（ｄ）に示したレール押さえ板の裏面図である。
【図１１】（ａ）は可動パネルが収納位置にあるときのレバー付近の断面図であり、（ｂ）は可動パネルを表示位置に移動した直後のレバー付近の断面図であり、（ｃ）は可動パネルを表示位置で固定したときのレバー付近の断面図である。
【図１２】遊技装置としてのスロットマシンの従来例を示す正面図である。
【図１３】図１２に示したスロットマシンのブロック図である。
【符号の説明】
【００４４】
１１    フロントドア
１２    筐体
１３ｆ    画像表示手段
１４    中部パネル
１５    下部パネル
２０    回胴リール装置
１００    スロットマシン
１０１    可動パネル
１０１ａ    演出用ランプ
１０１ｂ、１０１ｃ    放音部
１０１ｄ    表示部
【図１】
2006180901.tif 000003
【図２】
2006180901.tif 000004
【図３】
2006180901.tif 000005
【図４】
2006180901.tif 000006
【図５】
2006180901.tif 000007
【図６】
2006180901.tif 000008
【図７】
2006180901.tif 000009
【図８】
2006180901.tif 000010
【図９】
2006180901.tif 000011
【図１０】
2006180901.tif 000012
【図１１】
2006180901.tif 000013
【図１２】
2006180901.tif 000014
【図１３】
2006180901.tif 000015